(57)【要約】【課題】積層されたタイヤ構成部材間にエアが残り難いタイヤ成型ドラム用スリーブ、タイヤ成型装置、及びタイヤ成型方法を提供する。【解決手段】  実施形態のタイヤ成型ドラム用スリーブ２は、タイヤ成型ドラムに被せられ、その外径側にタイヤ構成部材が積層される筒状のタイヤ成型ドラム用スリーブ２であって、軸方向端部２０における外径が軸方向中央部２１における外径よりも小さくなるように形成され、前記軸方向端部２０と前記軸方向中央部２１の間の、外径がスリーブ軸方向に変化する部分２２が、前記タイヤ構成部材の一部であるビード周りの部材４１が積層される部分であることを特徴とする。【選択図】図３
2015083357.tif 000002
【特許請求の範囲】
【請求項１】
タイヤ成型ドラムに被せられ、その外径側にタイヤ構成部材が積層される筒状のタイヤ成型ドラム用スリーブであって、
軸方向両端部における外径が軸方向中央部における外径よりも小さくなるように形成され、
前記軸方向両端部と前記軸方向中央部の間の、外径がスリーブ軸方向に沿って変化する部分が、前記タイヤ構成部材の一部であるビード周りの部材が積層される部分である、タイヤ成型ドラム用スリーブ。
【請求項２】
前記タイヤ構成部材として、少なくとも、インナーライナーと、前記インナーライナーのスリーブ軸方向の両側の一部分よりスリーブ軸方向外側に配置されるサイド部材と、前記インナーライナーと前記サイド部材のそれぞれ少なくとも一部分の外径側に配置される前記ビード周りの部材としてのスチールチェーファーと、少なくとも前記インナーライナーと前記スチールチェーファーの外径側に配置されるカーカスプライとが積層されるタイヤ成型ドラム用スリーブであって、
外径がスリーブ軸方向に沿って変化する部分のスリーブ軸方向の範囲が、前記スチールチェーファーのスリーブ軸方向内側の端部の位置を含む、請求項１に記載のタイヤ成型ドラム用スリーブ。
【請求項３】
外径がスリーブ軸方向に沿って変化する部分のスリーブ軸方向外側の端部が、前記カーカスプライのスリーブ軸方向外側の端部よりもスリーブ軸方向内側に位置する、請求項２に記載のタイヤ成型ドラム用スリーブ。
【請求項４】
前記軸方向両端部と前記軸方向中央部の間の、外径がスリーブ軸方向に沿って変化する部分がテーパ状である、請求項１〜３のいずれか１項に記載のタイヤ成型ドラム用スリーブ。
【請求項５】
前記軸方向両端部と前記軸方向中央部の間の、外径がスリーブ軸方向に沿って変化する部分が、軸方向中央部側のテーパ状の部分である第１テーパ部と、前記第１テーパ部より軸方向端部側のテーパ状の部分である第２テーパ部とからなり、前記第１テーパ部のタイヤ成型ドラム用スリーブ内径面に対するテーパ角度が、前記第２テーパ部の同テーパ角度よりも大きい、請求項１〜３のいずれか１項に記載のタイヤ成型ドラム用スリーブ。
【請求項６】
前記軸方向両端部と前記軸方向中央部の間の、外径がスリーブ軸方向に沿って変化する部分のスリーブ軸方向外側方向の部分に、外径がその周囲の部分よりも小さくなる凹部が形成され、
前記凹部のスリーブ軸方向の範囲が、前記カーカスプライのスリーブ軸方向外側の端部の位置を含む、請求項２に記載のタイヤ成型ドラム用スリーブ。
【請求項７】
タイヤ成型ドラムと、前記タイヤ成型ドラムに被せられ、その外径側にタイヤ構成部材が積層される筒状のタイヤ成型ドラム用スリーブとを備えるタイヤ成型装置であって、
前記タイヤ成型ドラムに被せられた状態の前記タイヤ成型ドラム用スリーブの軸方向両端部における外径が、軸方向中央部における外径よりも小さくなるように形成され、
前記軸方向両端部と前記軸方向中央部の間の、外径がスリーブ軸方向に沿って変化する部分が、前記タイヤ構成部材の一部であるビード周りの部材が積層される部分である、タイヤ成型装置。
【請求項８】
前記タイヤ成型ドラム用スリーブの外径側に、少なくとも、インナーライナーと、前記インナーライナーのスリーブ軸方向の両側の一部分よりスリーブ軸方向外側に配置されるサイド部材と、前記インナーライナーと前記サイド部材のそれぞれ少なくとも一部分の外径側に配置される前記ビード周りの部材としてのスチールチェーファーと、少なくとも前記インナーライナーと前記スチールチェーファーの外径側に配置されるカーカスプライとが積層されるタイヤ成型装置であって、
前記タイヤ成型ドラムに被せられた状態の前記タイヤ成型ドラム用スリーブの、外径がスリーブ軸方向に沿って変化する部分の、スリーブ軸方向の範囲が、前記スチールチェーファーのスリーブ軸方向内側の端部の位置を含む、請求項７に記載のタイヤ成型装置。
【請求項９】
前記タイヤ成型ドラムに被せられた状態の前記タイヤ成型ドラム用スリーブの、外径がスリーブ軸方向に沿って変化する部分の、スリーブ軸方向外側の端部が、前記カーカスプライのスリーブ軸方向外側の端部よりもスリーブ軸方向内側に位置する、請求項８に記載のタイヤ成型装置。
【請求項１０】
前記軸方向両端部と前記軸方向中央部の間の、外径がスリーブ軸方向に沿って変化する部分がテーパ状である、請求項７〜９のいずれか１項に記載のタイヤ成型装置。
【請求項１１】
前記軸方向両端部と前記軸方向中央部の間の、外径がスリーブ軸方向に沿って変化する部分が、軸方向中央部側のテーパ状の部分である第１テーパ部と、前記第１テーパ部より軸方向端部側のテーパ状の部分である第２テーパ部とからなり、前記第１テーパ部のタイヤ成型ドラム用スリーブ内径面に対するテーパ角度が、前記第２テーパ部の同テーパ角度よりも大きい、請求項７〜９のいずれか１項に記載のタイヤ成型装置。
【請求項１２】
前記軸方向両端部と前記軸方向中央部の間の、外径がスリーブ軸方向に沿って変化する部分のスリーブ軸方向外側方向の部分に、外径がその周囲の部分よりも小さくなる凹部が形成され、
前記凹部のスリーブ軸方向の範囲が、前記カーカスプライのスリーブ軸方向外側の端部の位置を含む、請求項８に記載のタイヤ成型装置。
【請求項１３】
タイヤ成型ドラムに被せられた、軸方向両端部における外径が軸方向中央部における外径よりも小さい、タイヤ成型ドラム用スリーブの外径側に、タイヤ構成部材を積層するタイヤ成型方法であって、
前記軸方向両端部と前記軸方向中央部の間の、外径がスリーブ軸方向に沿って変化する部分に、前記タイヤ構成部材の一部であるビード周りの部材を積層する、タイヤ成型方法。
【請求項１４】
前記タイヤ成型ドラム用スリーブの外径側に、少なくとも、インナーライナーを貼り付け、前記インナーライナーのスリーブ軸方向の両側の一部分よりスリーブ軸方向外側にサイド部材を貼り付け、前記インナーライナーと前記サイド部材のそれぞれ少なくとも一部分の外径側に前記ビード周りの部材としてのスチールチェーファーを貼り付け、少なくとも前記インナーライナーと前記スチールチェーファーの外径側にカーカスプライを積層するタイヤ成型方法であって、
前記タイヤ成型ドラムに被せられた前記タイヤ成型ドラム用スリーブの外径がスリーブ軸方向に沿って変化する部分のスリーブ軸方向の範囲内に、前記スチールチェーファーのスリーブ軸方向内側の端部を貼り付ける、請求項１３に記載のタイヤ成型方法。
【請求項１５】
前記タイヤ成型ドラムに被せられた前記タイヤ成型ドラム用スリーブの外径がスリーブ軸方向に沿って変化する部分のスリーブ軸方向外側の端部よりスリーブ軸方向外側に、前記カーカスプライのスリーブ軸方向外側の端部を貼り付ける、請求項１４に記載のタイヤ成型方法。
【発明の詳細な説明】
【技術分野】
【０００１】
本発明は、タイヤ成型ドラム用スリーブ、タイヤ成型装置、及びタイヤ成型方法に関する。
【背景技術】
【０００２】
タイヤの成型では、タイヤ成型ドラム上のインナーライナーにスチールチェーファー等のビード周りの部材等が貼り付けられ、それらの上からカーカスプライが貼り付けられる。そして、カーカスプライが上からローラで押さえられる、所謂ステッチが行われる。ステッチは、貼り付けられた部材間を密着させると共に部材間のエアを抜くことを目的として行われる。その後、ビード周りの部材の上方にビードがセットされ、ターンアップ及びシェーピングが行われ、所謂グリーンケースが完成する。
【０００３】
このような成型では、ビードがセットされる場所に、ビード周りの部材等のタイヤ構成部材が何層にも積層されるため、これらの部材間にエアが溜まり易い。さらに、円筒状のタイヤ成型ドラムにタイヤ構成部材が積層された場合、ビードがセットされる場所が他の場所よりも盛り上がる。そのため、ステッチにおいて、盛り上がり形状に合わせてローラがカーカスプライを押えることができず、エア抜きが不十分となる。
【０００４】
この問題を解決するため、特許文献１の発明では、ドラムの表面がドラム周方向及び軸方向に分割された多数のプレートで形成され、各プレートがドラム径方向に変位できるようになっている。そして、複数のタイヤ構成部材が積層される部分のプレートは、積層される際にドラム径方向内方へ変位し、これによって積層体がドラム外方へ盛り上がらないようになっている。
【０００５】
しかし、このようなドラムは構造が複雑であり、設備費やメンテナンス等の観点から好ましいものではない。また、プレート間に段差が生じるため、この上に貼り付けられたタイヤ構成部材に段差が生じ、その段差部分にエアが溜まり易い。
【先行技術文献】
【特許文献】
【０００６】
【特許文献１】特開平２００７−６２０８３号公報
【発明の概要】
【発明が解決しようとする課題】
【０００７】
本発明の実施形態が解決しようとする課題は、積層されたタイヤ構成部材間にエアが残り難いタイヤ成型ドラム用スリーブ、タイヤ成型装置、及びタイヤ成型方法を提供することである。
【課題を解決するための手段】
【０００８】
実施形態のタイヤ成型ドラム用スリーブは、タイヤ成型ドラムに被せられ、その外径側にタイヤ構成部材が積層される筒状のタイヤ成型ドラム用スリーブであって、軸方向両端部における外径が軸方向中央部における外径よりも小さくなるように形成され、前記軸方向両端部と前記軸方向中央部の間の、外径がスリーブ軸方向に変化する部分が、前記タイヤ構成部材の一部であるビード周りの部材が積層される部分であることを特徴とする。
【発明の効果】
【０００９】
本発明の実施形態によれば、積層されたタイヤ構成部材間にエアが残り難いタイヤ成型ドラム用スリーブ、タイヤ成型装置、及びタイヤ成型方法を提供することができる。
【図面の簡単な説明】
【００１０】
【図１】実施形態のタイヤ成型装置の側面図。
【図２】実施形態のタイヤ成型ドラム用スリーブの部分断面図。
【図３】実施形態のタイヤ成型ドラム用スリーブとその上に積層されたタイヤ構成部材の断面図。
【図４】変更例１のタイヤ成型ドラム用スリーブの断面図。
【図５】変更例２のタイヤ成型ドラム用スリーブの断面図。
【発明を実施するための形態】
【００１１】
（１）タイヤ成型装置及びタイヤ成型ドラム用スリーブ２の構造
実施形態のタイヤ成型装置を図１に示す。
【００１２】
実施形態のタイヤ成型装置は、タイヤ成型ドラム１を有し、必要に応じて、工場内の定められた経路を移動するための公知の移動装置や、その他の装置等が設けられたものである。
【００１３】
実施形態のタイヤ成型ドラム１は、公知の構造のもので、金属製の複数のプレート１０が、周状に並べられるとともに、径方向に進退可能となっているものである。必要に応じて、プレート１０が径方向に進退し、タイヤ成型ドラム１の径が拡縮する。
【００１４】
一部のプレート１０には、ドラム外径側の面に開口し、ドラム軸方向へ延長された、溝１１が形成されている。この溝１１を利用して、次に述べるタイヤ成型ドラム用スリーブ２がタイヤ成型ドラム１に取り付けられる。
【００１５】
実施形態のタイヤ成型ドラム用スリーブ２を図２に示す。
【００１６】
タイヤ成型ドラム用スリーブ２は、タイヤ成型時にタイヤ成型ドラム１に被せられる部材である。タイヤ成型時には、その上面に、インナーライナー４、ビード周りの部材、カーカスプライ４２等の、タイヤ構成部材が積層される。その形状は筒状である。その材質は限定されないが、ドラムの拡縮に伴って伸縮可能なもの、特にゴムであることが望ましい。
【００１７】
タイヤ成型ドラム用スリーブ２の内径側は、軸方向に内径の変化の無い円筒形をしている。一方、タイヤ成型ドラム用スリーブ２の外径側は、スリーブの軸方向端部２０における外径が軸方向中央部２１における外径よりも小さくなるように形成されている。そして、外径が小さい軸方向端部２０と外径が大きい軸方向中央部２１との間は、外径がスリーブ軸方向に沿って直線的に変化する、テーパ状のテーパ部２２になっている。
【００１８】
テーパ部２２は、タイヤ構成部材の一部であるビード周りの部材が積層される部分である。ビード周りの部材とは、インナーライナー４やカーカスプライ４２以外のタイヤ構成部材であって、ターンアップ後にビード４４のタイヤ幅方向外側や内側、内径側に位置することとなる部材のことである。ビード周りの部材としてスチールチェーファー４１が積層される場合は、テーパ部２２のスリーブ軸方向の範囲が、該スチールチェーファー４１のスリーブ軸方向内側の端部の位置を含むことが望ましい。また、該スチールチェーファー４１より外径側にはカーカスプライ４２が積層されるが、テーパ部２２のスリーブ軸方向外側の端部が、カーカスプライ４２のスリーブ軸方向外側の端部と略一致するか、カーカスプライ４２のスリーブ軸方向外側の端部よりもスリーブ軸方向内側になることが望ましい。
【００１９】
タイヤ成型ドラム用スリーブ２は、成型されるタイヤの品種毎に、異なるものが用いられる。軸方向端部２０、軸方向中央部２１、テーパ部２２の幅や、軸方向端部２０及び軸方向中央部２１の外径、テーパ部２２のテーパ角度等の具体的な値は、タイヤ成型ドラム用スリーブ２毎に異なる。
【００２０】
ただし、テーパ部２２のスリーブ軸方向の長さは５０〜１７０ｍｍ、スリーブ径方向の高さは３．５〜８．５ｍｍであることが望ましい。
【００２１】
タイヤ成型ドラム用スリーブ２の内径側の、タイヤ成型ドラム１の溝１１に対応する部分には、スリーブ軸方向に延び溝１１に嵌る形状のメタルバー３が取り付けられている。メタルバー３は金属製である。ボルトが、タイヤ成型ドラム用スリーブ２に開けられた孔にスリーブ外側から通され、スリーブ内側のメタルバー３に開けられた雌ねじ穴に締め付けられることにより、メタルバー３がタイヤ成型ドラム用スリーブ２に取り付けられている。
【００２２】
タイヤ成型ドラム１の溝１１に、タイヤ成型ドラム用スリーブ２のメタルバー３が、ドラム軸方向から挿入されることにより、タイヤ成型ドラム１にタイヤ成型ドラム用スリーブ２が取付けられている。
【００２３】
（２）タイヤ成型方法
図３に基づき実施形態のタイヤ成型方法について説明する。
【００２４】
まず、タイヤ構成部材の貼り付けの準備がなされる。具体的には、まず、タイヤ成型ドラム１の径が最小になるように、プレート１０がドラム径方向内方へ後退する。次に、上記のようにして、タイヤ成型ドラム１にタイヤ成型ドラム用スリーブ２が取付けられる。次に、タイヤ成型ドラム１の径がタイヤ構成部材の貼り付けに適した径になるように、プレート１０がドラム径方向外方へ進出する。
【００２５】
次に、タイヤ成型ドラム用スリーブ２の外径側にタイヤ構成部材が貼り付けられる。
【００２６】
まず、インナーライナー４が、軸方向中央部２１全体と、テーパ部２２の一部を覆うように、貼り付けられる。
【００２７】
次に、サイド部材４０が、インナーライナー４上であってテーパ部２２の外径側にあたる部分から、スリーブ軸方向端部２０にかけて、貼り付けられる。サイド部材４０は、スリーブ軸方向両側の２箇所に貼り付けられる。なお、サイド部材４０は、サイドウォール４０ａがスリーブ軸方向外側に、ラバーチェーファー４０ｂがスリーブ軸方向内側になるように、予め一体化された部材である。
【００２８】
次に、ビード周りの部材であるスチールチェーファー４１が、インナーライナー４の一部分及びサイド部材４０の一部分の上に貼り付けられる。スチールチェーファー４１のスリーブ軸方向内側の端部は、インナーライナー４上であって、テーパ部２２のスリーブ軸方向の範囲内、より詳細には、軸方向中央部２１とテーパ部２２の境界よりも、僅かにテーパ部２２側の位置に貼り付けられる。また、スチールチェーファー４１のスリーブ軸方向内側の端部は、サイド部材４０のスリーブ軸方向内側の端部よりも、スリーブ軸方向内側に位置している。なお、スチールチェーファー４１は、スリーブ軸方向両側の２箇所に貼り付けられる。
【００２９】
次に、カーカスプライ４２が、インナーライナー４及びスチールチェーファー４１を覆うように貼り付けられる。カーカスプライ４２のスリーブ軸方向外側の端部は、タイヤ成型ドラム用スリーブ２のテーパ部２２と軸方向端部２０の境界と略一致する位置か、該境界よりも軸方向端部２０側の位置に貼り付けられる。
【００３０】
以上で、ステッチ前におけるタイヤ構成部材の貼り付けが完了する。
【００３１】
なお、以上に挙げたタイヤ構成部材の他に、各部材間等に必要に応じてパッド、テープ、その他のタイヤ構成部材が貼り付けられる。このようなタイヤ構成部材の中にはビード周りの部材も含まれる。
【００３２】
次に、ローラを備える公知のステッチャーにより、積層されたタイヤ構成部材の上からステッチが行われる。
【００３３】
次に、カーカスプライ４２上であって、軸方向中央部２１の両端部付近の上方の部分に、図示しないベルト下パッドが貼り付けられ、その上からさらにステッチが行われる。
【００３４】
その後、スチールチェーファー４１の上方にビード４４がセットされ、ターンアップ及びシェーピングがなされ、グリーンケースが完成する。
【００３５】
完成したグリーンケースは次の工程へ送られ、ベルトやトレッドが貼り付けられた後、加硫され、タイヤが完成する。
【００３６】
（３）効果
以上の実施形態によれば、積層されたタイヤ構成部材間にエアが溜まり難い。詳細に説明すると、タイヤ成型時に、タイヤ成型ドラム用スリーブ２のテーパ部２２や軸方向端部２０の外径側に、スチールチェーファー４１等のビード周りの部材が貼り付けられる。つまり、テーパ部２２や軸方向端部２０には、軸方向中央部２１より多くのタイヤ構成部材が積層されることになる。しかし、タイヤ成型ドラム用スリーブ２のテーパ部２２や軸方向端部２０の外径は、軸方向中央部２１の外径と比較して小さい。そのため、最も外径側に貼り付けられるカーカスプライ４２の、テーパ部２２や軸方向端部２０の外径側の部分は、軸方向中央部２１より大きく盛り上がらない。そのため、ステッチにおいて、ローラがカーカスプライ４２をその表面に沿って押えることができる。その結果、エア抜きが十分に行われ、積層されたタイヤ構成部材間にエアが残ることが防止される。
【００３７】
ここで、タイヤ構成部材の積層体は、図３で示すように、スチールチェーファー４１のスリーブ軸方向内側の端部よりスリーブ軸方向外側において、厚みが厚くなる。そして、カーカスプライ４２のスリーブ軸方向外側の端部付近において、厚みが最も厚くなる。
【００３８】
そして、上記の実施形態では、スチールチェーファー４１のスリーブ軸方向内側の端部が、タイヤ成型ドラム用スリーブ２の軸方向中央部２１とテーパ部２２の境界よりもテーパ部２２側の位置に貼り付けられる。そのため、スチールチェーファー４１のスリーブ軸方向内側の端部よりもスリーブ軸方向外側の、タイヤ構成部材の積層体の厚みのある部分が、外径の小さいテーパ部２２と軸方向端部２０に貼り付けられることになる。そのため、タイヤ構成部材の積層体の最も外径側に貼り付けられるカーカスプライ４２は、外径側に大きく盛り上がらない。
【００３９】
また、上記の実施形態では、カーカスプライ４２のスリーブ軸方向外側の端部が、タイヤ成型ドラム用スリーブ２のテーパ部２２と軸方向端部２０の境界と略一致する位置か、該境界よりも、軸方向端部２０側の位置に貼り付けられる。そのため、タイヤ構成部材の積層体の最も厚みのある部分が、タイヤ成型ドラム用スリーブ２の最も外径の小さい部分又はその付近に貼り付けられることとなる。そのため、タイヤ構成部材の積層体の最も厚みのある部分が、径方向外方へ突出することが無い。そのため、タイヤ構成部材の積層体をビードセットのためにリング状のビードの中に通す際に、タイヤ構成部材の積層体の径方向外方へ突出した部がビードに当たることが無い。
【００４０】
また、タイヤ成型ドラム用スリーブ２は、内径側が円筒形であり、外径側に特徴ある形が形成されているため、従来からある円筒形のドラムに取り付けるだけで、上記のタイヤ成型方法を実施することができる。また、成型するタイヤの品種に合わせて、タイヤ成型ドラム用スリーブ２の外径側の形状を様々なものとすることができる。そして、成型するタイヤの品種を変更する際に、容易にタイヤ成型ドラム用スリーブ２を交換することができる。
【００４１】
また、タイヤ成型ドラム用スリーブ２のテーパ部２２のスリーブ径方向の高さが３．５〜８．５ｍｍであるため、問題が生じることなくタイヤの成型が実施できる。具体的には、スリーブ径方向の高さが３．５ｍｍより低いと、タイヤ構成部材の積層体のスチールチェーファー４１の積層されている部分がスリーブ径方向外方へ盛り上がり、ステッチが不十分になる原因となる。また、スリーブ径方向の高さが８．５ｍｍより高いと、タイヤ構成部材の積層体のうちテーパ部２２に貼り付けられた部分の外径が小さくなるため、ビードセットの際に、その部分の外径側に配置されるビードが該積層体に届かなくなり、該積層体とビードとを当接させることができなくなるおそれがある。
【００４２】
（４）実施例
（４−１）実施例１
内径側だけでなく外径側も円筒形であるスリーブの上にカーカスプライ４２まで積層したもの（積層体１）と、上記の実施形態のタイヤ成型ドラム用スリーブ２の上にカーカスプライ４２まで積層したもの（積層体２）とを準備した。そして、ステッチャーをカーカスプライ４２に当てながらスリーブ軸方向に移動させ、ステッチャーとカーカスプライ４２の接触圧の変化を測定した。
【００４３】
積層体１の測定の結果、接触圧の最大値と最小値の差は２．３２５ＭＰａであった。一方、積層体２の測定の結果、接触圧の最大値と最小値の差は２．２６７ＭＰａであった。このように、積層体２の方が積層体１の結果よりも値が小さいことが分かった。
【００４４】
このことから、積層体１よりも積層体２にステッチする場合の方が、ステッチャーがカーカスプライ４２を均一の力で押圧できていることが確認できた。従って、積層体２の方が、タイヤ構成部材間にエアが残り難いと考えられる。また、積層体２は積層体１よりもカーカスプライ４２がフラットに貼り付けられていることも確認できた。
【００４５】
（４−２）実施例２
次の３つのタイヤ成型装置を用いて、タイヤ構成部材の積層体を製造し、タイヤ構成部材間にエアが残ることによる不良の発生率を比較した。
【００４６】
１つ目のタイヤ成型装置（比較例１のタイヤ成型装置）は円筒状のドラムを備える。比較例１のドラムには軸方向に外径の変化の無い円筒形のスリーブが被せられている。２つ目のタイヤ成型装置（比較例２のタイヤ成型装置）は、特許文献１のドラムのように、外周面がドラム周方向及び軸方向に多数のプレートに分割されたドラムを備える。比較例２のドラムは、予め、ドラム軸方向中央部のプレートが、ドラム軸方向両端部のプレートよりも外径側に突出した状態となっている。比較例２のドラムにはスリーブが被せられていない。３つ目のタイヤ成型装置は、上記の実施形態のタイヤ成型装置である。
【００４７】
その結果、上記の実施形態のタイヤ成型装置を用いた場合の不良発生率は、比較例１のタイヤ成型装置を用いた場合の不良発生率の半分であった。また、比較例２のタイヤ成型装置を用いた場合は、不良発生率が比較例１のタイヤ成型装置を用いた場合よりもはるかに高く、殆どのタイヤ構成部材の積層体が不良となった。
【００４８】
このことから、上記の実施形態のタイヤ成型ドラム用スリーブ２上にタイヤ構成部材を積層した場合、軸方向に外径の変化の無い円筒形のスリーブ上や、特許文献１のドラム上にタイヤ構成部材を積層した場合よりも、タイヤ構成部材間にエアが残り難いことが確認できた。
【００４９】
（５）変更例
（５−１）変更例１
変更例１のタイヤ成型ドラム用スリーブ５を図４に示す。
【００５０】
タイヤ成型ドラム用スリーブ５は、上記のタイヤ成型ドラム用スリーブ２と同様に、軸方向中央部５１と、テーパ部５２と、軸方向両端部５０を有する。ただし、テーパ部５２が、軸方向中央部５１側のテーパ状の部分である第１テーパ部５２ａと、軸方向両端部側のテーパ状の部分である第２テーパ部５２ｂとからなる点が異なる。第１テーパ部５２ａと第２テーパ部５２ｂの相違点は、タイヤ成型ドラム用スリーブ５の内径面に対するテーパ角度の違いであり、第１テーパ部５２ａのテーパ角度が、第２テーパ部５２ｂのテーパ角度よりも大きい。
【００５１】
ここで、上記のタイヤ成型ドラム用スリーブ２の場合と同様に、テーパ部５２のスリーブ軸方向の範囲が、スチールチェーファー４１のスリーブ軸方向内側の端部の位置を含む。特に、テーパ部５２のうち、第１テーパ部５２ａのスリーブ軸方向の範囲が、スチールチェーファー４１のスリーブ軸方向内側の端部の位置を含むことが望ましい。また、第２テーパ部５２ｂのスリーブ軸方向外側の端部が、カーカスプライ４２のスリーブ軸方向外側の端部と略一致するか、カーカスプライ４２のスリーブ軸方向外側の端部よりもスリーブ軸方向内側になることが望ましい。
【００５２】
このタイヤ成型ドラム用スリーブ５では、第１テーパ部５２ａのテーパ角度が大きいため、軸方向中央部５１の端部からテーパ部５２にかけて、急に外径が小さくなっている。そのため、上記の実施形態のタイヤ成型ドラム用スリーブ２と比較して、より多くのタイヤ構成部材がテーパ部５２の外径側に積層されたとしても、タイヤ構成部材の積層体のテーパ部に貼り付けられる部分が、スリーブ径方向外方へ突出しない。
【００５３】
また、テーパ部５２全体のテーパ角度が大きい場合、テーパ部５２のスリーブ軸方向外側の端部方向の部分や、そこから連続する軸方向両端部５０の外径が非常に小さくなる。その場合、タイヤ構成部材の積層体の軸方向両端方向の部分の外径が非常に小さくなる。すると、ビードセットの際、タイヤ構成部材の積層体の外径側の部分が、ビードに当接しないという問題が生じる。しかし、この変更例では、第２テーパ部５２ｂのテーパ角度が小さく、第２テーパ部５２ｂ及び軸方向両端部５０の外径が小さくなりすぎないため、そのような問題は生じない。
【００５４】
（５−２）変更例２
変更例２のタイヤ成型ドラム用スリーブ６を図５に示す。
【００５５】
タイヤ成型ドラム用スリーブ６は、上記のタイヤ成型ドラム用スリーブ２と同様に、軸方向中央部６１と、テーパ部６２と、軸方向両端部６０を有する。ただし、テーパ部６２と軸方向両端部６０の間に、外径がその周囲の部分よりも小さい凹部６３が形成されている点が異なる。
【００５６】
ここで、上記のタイヤ成型ドラム用スリーブ２の場合と同様に、テーパ部６２のスリーブ軸方向の範囲が、スチールチェーファー４１のスリーブ軸方向内側の端部の位置を含む。また、凹部６３は、そのスリーブ軸方向の範囲内に、貼り付けられるカーカスプライ４２のスリーブ軸方向外側の端部が位置するように、形成される。
【００５７】
このタイヤ成型ドラム用スリーブ６上を用いて成型を行った場合、タイヤ構成部材の積層体のうち、最も厚みが出るカーカスプライ４２のスリーブ軸方向外側の端部のある部分が、凹部６３の外径側に貼り付けられる。そのため、タイヤ構成部材の積層体の、カーカスプライ４２のスリーブ軸方向外側の端部のある部分が、径方向外方へ突出することが無い。そのため、ステッチやビードセットが阻害されることが無い。
【００５８】
（５−３）その他の変更例
タイヤ成型装置は、外径が軸方向に変化することにより外径側に凹凸形状が形成されたタイヤ成型ドラムと、内外径側共に径が軸方向に変化せず、かつ、ゴム等でできており伸縮自在のタイヤ成型ドラム用スリーブとを備えるものであっても良い。この場合、タイヤ成型ドラムの外径側の凹凸形状を、上記のタイヤ成型ドラム用スリーブの外径側の形状と同じものとする。このようにすると、タイヤ成型ドラム用スリーブをタイヤ成型ドラムに被せた場合に、タイヤ成型ドラム用スリーブの外径側にタイヤ成型ドラムの外径側の凹凸形状が現れ、上記と同じタイヤ成型を実施できる。
【００５９】
タイヤ成型ドラム用スリーブの上に積層されるタイヤ構成部材の種類、タイヤ構成部材間の位置関係、タイヤ成型ドラム用スリーブの軸方向中央部とテーパ部の境界とタイヤ構成部材の端部との位置関係、タイヤ成型ドラム用スリーブのテーパ部と軸方向両端部の境界とタイヤ構成部材の端部との位置関係は、以上に記載された形態に限定されない。
【符号の説明】
【００６０】
１…タイヤ成型ドラム、１０…プレート、１１…溝、２…タイヤ成型ドラム用スリーブ、２０…軸方向端部、２１…軸方向中央部、２２…テーパ部、３…メタルバー、４…インナーライナー、４０…サイド部材、４０ａ…サイドウォール、４０ｂ…ラバーチェーファー、４１…スチールチェーファー、４２…カーカスプライ、４４…ビード、５…変更例のタイヤ成型ドラム用スリーブ、５０…軸方向両端部、５１…軸方向中央部、５２…テーパ部、５２ａ…第１テーパ部、５２ｂ…第２テーパ部、６…別の変更例のタイヤ成型ドラム用スリーブ、６０…軸方向両端部、６１…軸方向中央部、６２…テーパ部、６３…凹部
【図１】
2015083357.tif 000003
【図２】
2015083357.tif 000004
【図３】
2015083357.tif 000005
【図４】
2015083357.tif 000006
【図５】
2015083357.tif 000007